【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
クライアントによって送信された位置検出要求をホーム・ドメイン位置検出サーバ（Ｈ−ＬＳ）によって受信し、
前記位置検出要求の認証が成功した後、訪問先ドメイン位置検出サーバ（Ｖ−ＬＳ）に該位置検出要求をホーム・ドメイン認証・認可・アカウンティング（Ｈ−ＡＡＡ）・サーバによって送信し、
前記訪問先ドメイン位置検出サーバによって戻された位置検出結果を受信し、
前記位置検出結果は、前記訪問先ドメイン位置検出サーバが訪問先ドメイン位置検出コントローラ（Ｖ−ＬＣ）に前記位置検出要求を送信した後、該訪問先ドメイン位置検出コントローラを動作させることによって位置検出測定から取得される情報であり、
前記クライアントに前記位置検出結果を送信する、
位置検出サービスを実現する方法。
【請求項２】
前記訪問先ドメイン位置検出サーバに前記位置検出要求を送信することは、
前記ホーム・ドメイン位置検出サーバによって、訪問先ドメイン・コネクティビティ・サービス・ネットワーク（Ｖ−ＣＳＮ）の機能エンティティに前記位置検出要求を送信すること、もしくは、
前記ホーム・ドメイン認証・認可・アカウンティング・サーバをとおして、前記訪問先ドメイン・コネクティビティ・サービス・ネットワークの前記機能エンティティに、ホーム・ドメイン位置検出サーバによって、前記位置検出要求を送出すること、
を含み、
前記機能エンティティは訪問先ドメイン位置検出サーバもしくは訪問先ドメイン認証・認可・アカウンティング（Ｖ−ＡＡＡ）・サーバを含む、
請求項１に記載の方法。
【請求項３】
前記訪問先ドメイン位置検出サーバによって戻される前記位置検出結果を受信することは、
前記訪問先ドメイン・コネクティビティ・サービス・ネットワークの機能エンティティによって戻された前記位置検出結果を、前記ホーム・コネクティビティ・サービス・ネットワークのホーム・ドメイン位置検出サーバによって受信すること、もしくは、
ホーム・ドメイン認証・認可・アカウンティング・サーバをとおして訪問先コネクティビティ・サービス・ネットワークの機能エンティティによって戻される前記位置検出結果をホーム・ドメイン位置検出サーバによって受信すること、
を含み、
前記機能エンティティは、訪問先ドメイン位置検出サーバもしくは訪問先ドメイン認証・認可・アカウンティング・サーバである、
請求項１または請求項２に記載の方法。
【請求項４】
ユーザ端末が訪問先ドメイン・アクセス・サービス・ネットワーク（Ｖ−ＡＮＳ）にアクセスしたとき、もしくは、該訪問先ドメイン・アクセス・サービス・ネットワークが動作したとき、前記ホーム・ドメイン位置検出サーバは位置検出機能情報を取得し、
前記位置検出機能情報は、前記ユーザ端末の位置検出機能、前記訪問先ドメイン・アクセス・サービス・ネットワークの位置検出機能、前記訪問先ドメイン・コネクティビティ・サービス・ネットワークの位置検出機能、の少なくとも一つを含む、
請求項１〜３のいずれか一項に記載の方法。
【請求項５】
前記クライアントによって送信された前記位置検出要求を前記ホーム・ドメイン位置検出サーバによって受信した後、
前記位置検出機能情報にしたがって、前記位置検出要求が満足されるか否かを前記ホーム・ドメイン位置検出サーバによって判断し、
前記位置検出要求が満足される場合、該位置検出要求を認証し、
前記位置検出要求が満足されない場合、前記位置検出の失敗を戻す、
ことをさらに含む、
請求項１〜４のいずれか一項に記載の方法。
【請求項６】
前記訪問先ドメイン位置検出サーバによって、前記訪問先ドメイン位置検出コントローラに前記位置検出要求を送信することは、
前記訪問先ドメイン・アクセス・サービス・ネットワークの認証手段から前記訪問先ドメイン位置検出コントローラの識別を前記訪問先ドメイン位置検出サーバによって取得し、該訪問先ドメイン位置検出コントローラの識別にしたがって、該訪問先ドメイン位置検出コントローラに前記位置検出要求を送信すること、もしくは、
前記訪問先ドメイン認証・認可・アカウンティング・サーバおよび前記訪問先ドメイン・アクセス・サービス・ネットワークの認証手段をとおして前記訪問先位置検出コントローラに前記位置検出要求を前記位置検出サーバによって送信すること、
を含む、
請求項１〜４のいずれか一項に記載の方法。
【請求項７】
前記訪問先ドメイン・認証・認可・アカウンティング・サーバによって前記位置検出要求をローカルに認証し、
認証に成功した場合、前記訪問先ドメイン位置検出コントローラに前記位置検出要求を送信し、
認証に失敗した場合、認証失敗を戻す、
ことをさらに含む、請求項６に記載の方法。
【請求項８】
前記位置検出要求は周期的な位置検出を要求するものであり、
前記訪問先ドメイン位置検出サーバによって戻された前記位置検出結果を受信することは、
前記位置検出要求の周期にしたがって、前記訪問先ドメイン位置検出サーバによって戻される位置検出結果を受信すること、
を含み、
前記位置検出結果は、周期的位置検出要求を受信した後、前記周期にしたがって位置検出測定を実行することによって、前記訪問先ドメイン位置検出コントローラによって取得される情報であり、
前記訪問先ドメイン位置検出コントローラに位置検出終了要求を送信する、
ことをさらに含み、
前記位置検出終了要求は、前記訪問先ドメイン位置検出サーバによって送出された位置検出終了要求を前記訪問先ドメイン位置検出コントローラが受信した後、前記位置検出測定を終了するために、前記訪問先ドメイン位置検出コントローラに使用される、
請求項１〜７のいずれか一項に記載の方法。
【請求項９】
受信したアカウンティング更新要求にしたがって、アカウンティング・サーバによって、前記位置検出要求に課金すること、
をさらに含む、請求項１〜８のいずれか一項に記載の方法。
【請求項１０】
ホーム・ドメイン位置検出サーバ（Ｈ−ＬＳ）、訪問先ドメイン位置検出サーバ（Ｖ−ＬＳ）、訪問先ドメイン位置検出コントローラ（Ｖ−ＬＣ）を含む、位置検出サービスを実現するシステムであって、
前記ホーム・ドメイン位置検出サーバは、クライアントによって送信された位置検出要求を受信し、該位置検出要求の認証が成功した後に、ホーム・ドメイン認証・認可・アカウンティング（Ｈ−ＡＡＡ）・サーバによって、該訪問先ドメイン位置検出サーバに位置検出要求を送信し、該訪問先ドメイン位置検出サーバによって戻された位置検出要求を受信し、該クライアントに該位置検出結果を送信するように構成されており、
前記訪問先ドメイン位置検出サーバは、前記訪問先ドメイン位置検出コントローラに前記位置検出要求を送信し、前記訪問先ドメイン位置検出コントローラによって戻される位置検出結果を受信するように構成されており、
前記訪問先ドメイン位置検出コントローラは、前記訪問先ドメイン位置検出サーバによって送信される位置検出要求にしたがって位置検出測定を動作させた後、位置検出結果を取得し、前記訪問先ドメイン位置検出サーバに該位置検出結果を送信するように構成されている、
システム。
【手続補正２】
【補正対象書類名】明細書
【補正対象項目名】発明の名称
【補正方法】変更
【補正の内容】
【発明の名称】位置検出サービスを実現する方法およびシステム
【手続補正３】
【補正対象書類名】明細書
【補正対象項目名】０００１
【補正方法】変更
【補正の内容】
【０００１】
本発明は、通信技術の分野に関し、詳細には、位置検出サービスを実現する方法およびシステムに関する。
【手続補正４】
【補正対象書類名】明細書
【補正対象項目名】０００７
【補正方法】変更
【補正の内容】
【０００７】
本発明は、位置検出サービスを実現するための方法およびシステムに関する。本発明によれば、ユーザ端末が訪問先ドメイン・ネットワークをローミングする場合、クライアントがホーム・ドメイン・ネットワークによってユーザ端末を検出することができる。
【手続補正５】
【補正対象書類名】明細書
【補正対象項目名】０００９
【補正方法】変更
【補正の内容】
【０００９】
位置検出サービスを実現する方法を提供する。該方法は、クライアントによって送信された位置検出要求をホーム・ドメイン位置検出サーバ（Ｈ−ＬＳ）によって受信し、前記位置検出要求の認証が成功した後、ホーム・ドメイン認証・認可・アカウンティング（Ｈ−ＡＡＡ）・サーバによって、訪問先ドメイン位置検出サーバ（Ｖ−ＬＳ）に該位置検出要求を送信し、前記訪問先ドメイン位置検出サーバによって戻された位置検出結果を受信し、前記位置検出結果は、前記訪問先ドメイン位置検出サーバが訪問先ドメイン位置検出コントローラに前記位置検出要求を送信した後、該訪問先ドメイン位置検出コントローラを動作させることによって位置検出測定から取得される情報であり、前記クライアントに前記位置検出結果を送信する。
【手続補正６】
【補正対象書類名】明細書
【補正対象項目名】００１０
【補正方法】変更
【補正の内容】
【００１０】
ホーム・ドメイン位置検出サーバ（Ｈ−ＬＳ）、訪問先ドメイン位置検出サーバ（Ｖ−ＬＳ）、訪問先ドメイン位置検出コントローラ（Ｖ−ＬＣ）を含む、位置検出サービスを実現するシステムを提供する。該システムにおいて、ホーム・ドメイン位置検出サーバは、クライアントによって送信された位置検出要求を受信し、位置検出要求の認証が成功した後、ホーム・ドメイン認証・認可・アカウンティング（Ｈ−ＡＡＡ）・サーバによって、位置検出サーバに位置検出要求を送信し、訪問先ドメイン位置検出サーバによって戻された位置検出要求を受信し、該クライアントに該位置検出結果を送信するように構成されており、前記訪問先ドメイン位置検出サーバは、訪問先ドメイン位置検出コントローラに前記位置検出要求を送信し、該訪問先ドメイン位置検出コントローラによって戻される位置検出結果を受信するように構成されており、前記訪問先ドメイン位置検出コントローラは、前記訪問先ドメイン位置検出サーバによって送信される位置検出要求にしたがって位置検出測定を動作させた後位置検出結果を取得し、前記訪問先ドメイン検出サーバに該位置検出結果を送信するように構成されている。